(57)【要約】【課題】遊技機の機種替えに要するコストを低減させることができ、装飾部材及び導光体の後方に、種々の用途に使用することができるスペースを形成することができる遊技機を提供する。【解決手段】遊技機１は、装飾部材８１及び導光体８２を有する遊技盤ユニット５と、導光体８２へ光を発する発光源７を有する枠体２とを備える。発光源７は、枠体２の内側面２０３から前後方向に交差する平面方向の中心側へ光を発する。導光体８２は、発光源７から受けた中心側への光を、前方へ屈曲させるための屈曲加工部８２２を有する。遊技機１は、遊技盤ユニット５が枠体２に支持されたときに、発光源７と導光体８２とが対向して、発光源７から発せられる光が導光体８２に入射される光伝達構造７０５を有する。【選択図】図４
2019107281.tif 000002
【特許請求の範囲】
【請求項１】
装飾部材、及び前記装飾部材から前方へ光を照射するための導光体を有する遊技盤ユニットと、
前記遊技盤ユニットを着脱可能に支持するとともに前記導光体へ光を発する発光源を有する枠体と、を備え、
前記発光源は、前記枠体の内側面に配置され、前記内側面から、前後方向に交差する平面方向の中心側へ光を発するよう構成されており、
前記導光体は、前記発光源から受けた前記中心側への光を、前方へ屈曲させるための屈曲加工部を有しており、
前記遊技盤ユニットが前記枠体に支持されたときに、前記発光源と前記導光体とが対向して、前記発光源から発せられる光が前記導光体に入射される光伝達構造を有する、遊技機。
【請求項２】
前記遊技盤ユニットは、前記枠体に対して回動可能に取り付けられた回動部に配置された状態で前記枠体に支持されており、
前記発光源は、前記枠体における、前記回動部の回動軸部側に位置する左右方向の内側面に配置されており、
前記導光体は、前記遊技盤ユニットの左右方向における、前記回動軸部側に偏った位置に配置されており、
前記遊技盤ユニットは、前記回動部の回動先端部側から回動軸部側へスライドして前記回動部に配置された配置構造と、前記回動部とともに前記枠体に支持された支持構造とを有する、請求項１に記載の遊技機。
【請求項３】
前記遊技盤ユニットは、可動して遊技の演出を行う可動演出体をさらに有しており、
前記枠体は、前記可動演出体を駆動する駆動源をさらに有しており、
前記駆動源の出力先端部には、駆動側係合部材が設けられており、前記可動演出体の入力先端部には、前記駆動側係合部材と係合して前記駆動源の駆動力を前記可動演出体へ伝達するための可動側係合部材が設けられており、
前記光伝達構造と、前記駆動側係合部材と前記可動側係合部材とが係合する係合構造とは、前記枠体への前記遊技盤ユニットの支持状態において形成される、請求項１又は２に記載の遊技機。
【発明の詳細な説明】
【技術分野】
【０００１】
本発明は、導光体を有する遊技盤ユニットと、導光体へ光を発する発光源を有する枠体とを備える遊技機に関する。
【背景技術】
【０００２】
パチンコ遊技機等の遊技機においては、遊技を行うための遊技盤の前側に、発光源から発せられた光によって発光する装飾部材が配置されている。また、遊技盤には、遊技盤における遊技の制御を行う制御装置、装飾部材、装飾部材を発光させるためのＬＥＤ（発光ダイオード）等の発光源が配置されている。遊技盤は、遊技機の外枠に対して開閉可能に支持された本体枠に配置されている。
【０００３】
また、装飾部材を直接示す技術ではないが、例えば、特許文献１の遊技機においては、遊技盤の裏側に複数本の棒状導光部を配置し、棒状導光部の後方に棒状導光部へ光を入射させる光入射手段を配置することが行われている。そして、棒状導光部は、光入射手段から入射された光の少なくとも一部を遊技機の前側へ導光するよう構成されている。また、光入射手段は、ＬＥＤ基板に対して、棒状導光部のそれぞれへ光を発する複数のＬＥＤを配置して構成されている。
【先行技術文献】
【特許文献】
【０００４】
【特許文献１】特開２０１０−１２４８８７号公報
【発明の概要】
【発明が解決しようとする課題】
【０００５】
ところで、遊技盤には遊技のテーマ（遊技盤ごとの固有の遊技性、遊技演出等）があり、装飾部材の発光源を発光させる制御、及び制御装置における遊技のテーマに応じた内容の制御を行う内容制御部は、遊技盤の種類ごとに異なる。そのため、遊技機における遊技盤を、他のテーマの遊技盤に取り替えるときには、装飾部材、発光源及び内容制御部も取り替える必要がある。
【０００６】
従来の遊技機においては、特に、前述した装飾部材及びその発光源は、遊技盤との一体性、統一性等を持たせるために、遊技盤に配置されてユニット化されている。そのため、遊技機の機種を他のテーマの機種に変更するときには、遊技盤をユニットごと他の遊技盤に変更することになり、遊技盤だけでなく、装飾部材及びその発光源も取り替える必要がある。それ故、遊技機の機種替えに要するコストを低減させることが困難である。
【０００７】
特許文献１の遊技機においては、複数本の棒状導光部と複数個のＬＥＤとがセットになって配置されている。そして、遊技盤及び複数本の棒状導光部を他のものに取り替える際には、ＬＥＤ基板及び複数個のＬＥＤも、他のものに取り替える必要がある。
【０００８】
また、特許文献１の遊技機においては、ＬＥＤ基板及び複数個のＬＥＤは、複数本の棒状導光部の後方に位置する。そのため、遊技機における遊技を行う遊技者からＬＥＤ基板が視認できないようにするために、ＬＥＤ基板の前方に位置する部品には、デザイン装飾等を施す必要がある。また、複数本の棒状導光部の後方のスペースが常に使用され、このスペースを他の用途に使用することができない。
【０００９】
本発明は、かかる課題に鑑みてなされたもので、遊技機の機種替えに要するコストを低減させることができ、装飾部材及び導光体の後方に、種々の用途に使用することができるスペースを形成することができる遊技機を提供しようとして得られたものである。
【課題を解決するための手段】
【００１０】
本発明の一態様は、装飾部材、及び前記装飾部材から前方へ光を照射するための導光体を有する遊技盤ユニットと、
前記遊技盤ユニットを着脱可能に支持するとともに前記導光体へ光を発する発光源を有する枠体と、を備え、
前記発光源は、前記枠体の内側面に配置され、前記内側面から、前後方向に交差する平面方向の中心側へ光を発するよう構成されており、
前記導光体は、前記発光源から受けた前記中心側への光を、前方へ屈曲させるための屈曲加工部を有しており、
前記遊技盤ユニットが前記枠体に支持されたときに、前記発光源と前記導光体とが対向して、前記発光源から発せられる光が前記導光体に入射される光伝達構造を有する、遊技機にある。
【発明の効果】
【００１１】
前記一態様の遊技機においては、装飾部材及び導光体を有する、遊技のテーマに沿った仕様の遊技盤ユニットを、装飾部材を発光させる発光源を有する枠体に着脱可能にしている。そして、遊技機の機種を他のテーマの機種に変更する場合には、枠体に対して、装飾部材及び導光体が配置された遊技盤ユニットを他の遊技盤ユニットに取り替えることができる。
【００１２】
これにより、装飾部材及び導光体を有する遊技盤ユニットを他のものに取り替える際に、発光源は取り替えずに再利用することができ、取り替えを要する部品点数を減らすことができる。そして、遊技機の機種替えに要するコストを低減させることができる。
【００１３】
また、遊技盤ユニットが取り替えられる際に、装飾部材において発光される位置が適宜変更されるときには、導光体の形状を適宜変更することによって、これに対応することができる。そして、光伝達構造として、発光源と導光体とは、遊技盤ユニットが枠体に支持されたときに対向し、発光源から発せられる光が導光体に入射される状態が形成される。これにより、発光源と導光体との位置関係が簡単に決定される。
【００１４】
また、発光源は、枠体の内側面から前後方向に交差する平面方向の中心側へ光を発するよう構成されており、導光体は、屈曲加工部によって、発光源から受けた中心側への光を前方へ屈曲させるよう構成されている。これにより、発光源は、装飾部材及び導光体に対する上下方向又は左右方向の側方に配置され、装飾部材及び導光体の後方には、発光源が配置されない。そのため、装飾部材及び導光体の後方に、発光源が遊技者から視認できないようにする部材等を配置する必要がなくなる。その結果、装飾部材及び導光体の後方に、種々の用途に使用することができるスペースを形成することができる。
【００１５】
それ故、前記一態様の遊技機によれば、遊技機の機種替えに要するコストを低減させることができ、装飾部材及び導光体の後方に、種々の用途に使用することができるスペースを形成することができる。
【図面の簡単な説明】
【００１６】
【図１】実施形態１にかかる、遊技機を前方から見た状態で示す説明図。
【図２】実施形態１にかかる、遊技機の枠体を前方から見た状態で示す説明図。
【図３】実施形態１にかかる、遊技機の遊技盤ユニットを前方から見た状態で示す説明図。
【図４】実施形態１にかかる、枠体における発光源と、遊技盤ユニットにおける導光体とが対向した状態を、遊技機の前方から見た状態で示す断面説明図。
【図５】実施形態１にかかる、枠体における発光源と、遊技盤ユニットにおける導光体とが対向した状態を、遊技機の上方から見た状態で示す断面説明図。
【図６】実施形態１にかかる、駆動側係合部材と可動側係合部材とが係合する前の状態を、遊技機の側方から見た状態で示す断面説明図。
【図７】実施形態１にかかる、駆動側係合部材と可動側係合部材とが係合した状態を、遊技機の側方から見た状態で示す断面説明図。
【図８】実施形態１にかかる、（ａ）駆動側係合部材を示す正面図、（ｂ）可動側係合部材を示す正面図、（ｃ）駆動側係合部材と可動側係合部材とが係合する状態を示す断面説明図。
【図９】実施形態１にかかる、遊技盤ユニットが枠体に対向した状態を、遊技機の上方から見た状態で示す説明図。
【図１０】実施形態１にかかる、枠体に対して、遊技盤ユニットが取り付けられていない回動部が回動した状態を、遊技機の上方から見た状態で示す説明図。
【図１１】実施形態１にかかる、枠体に対して回動した回動部に、遊技盤ユニットが取り付けられている状態を、遊技機の上方から見た状態で示す説明図。
【図１２】実施形態１にかかる、枠体に対して回動した回動部に、遊技盤ユニットが取り付けられた状態を、遊技機の上方から見た状態で示す説明図。
【図１３】実施形態２にかかる、遊技機の前扉を前方から見た状態で示す説明図。
【図１４】実施形態２にかかる、演出用操作装置を遊技機の側方から見た状態で示す断面説明図。
【図１５】実施形態２にかかる、演出用操作装置をその先端側から見た状態で示す説明図。
【発明を実施するための形態】
【００１７】
前述した遊技機にかかる好ましい実施形態について、図面を参照して説明する。
＜実施形態１＞
本形態の遊技機１は、図１及び図４に示すように、装飾部材８１、及び装飾部材８１から前方へ光Ｘを照射するための導光体８２を有する遊技盤ユニット５と、遊技盤ユニット５を着脱可能に支持するとともに導光体８２へ光Ｘを発する発光源７を有する枠体２とを備える。
【００１８】
図５に示すように、発光源７は、枠体２の枠部の内側面（内周面）２０３に配置されており、内側面２０３から、前後方向Ｄに交差する平面方向の中心側へ（枠体２の外周部から中央方向へ向けて）光Ｘを発するよう構成されている。導光体８２は、発光源７から受けた中心側への光Ｘを、前方へ屈曲させるための屈曲加工部８２２を有する。遊技機１は、遊技盤ユニット５が枠体２に支持されたときに、発光源７と導光体８２とが対向して、発光源７から発せられる光Ｘが導光体８２に入射される光伝達構造７０５を有する。
【００１９】
以下に、本形態の遊技機１について詳説する。
（枠体２，遊技盤ユニット５）
本形態の遊技機１はパチンコ遊技機である。図２に示すように、枠体２は、遊技ホールに対して、外枠（図示略）を介して固定されている。枠体２は、遊技機１における共通電気部品を有する。共通電気部品は、遊技盤５１による遊技のテーマに左右されず、種々の遊技盤５１（遊技機１）において共通して使用される基本的な構成要素である。共通電気部品には、後述する、装飾部材８１の発光源７、可動演出体６の駆動源４、交流電力から直流電力を作り出す電源装置、共通制御装置、球発射装置、球払出装置等がある。
【００２０】
共通制御装置においては、例えば、遊技盤５１の前面に形成された遊技領域へ遊技球を発射させる球発射装置の発射制御装置、遊技機１の球皿へ目標とする数の遊技球を払い出す球払出装置の払出制御装置、及びそれらの装置の制御等を行うプログラムが含まれている。
【００２１】
遊技機１は、遊技盤５１による遊技のテーマが異なる機種に変更する際に、枠体２から遊技盤ユニット５を取り外し、この遊技盤ユニット５を他の遊技盤ユニット５に取り替えることができるよう構成されている。図３及び図９に示すように、遊技盤ユニット５は、遊技盤５１、遊技者から視認できるよう遊技盤５１上において光Ｘによる演出を行う光演出装置の装飾部材８１、遊技者から視認できる位置において可動（回動）して遊技の演出を行う可動演出体６等を有する。また、遊技盤ユニット５は、遊技盤５１による遊技のテーマに沿った固有の制御プログラム等が含まれる個別制御装置５４等を有する。個別制御装置５４には、遊技機１における大当り等の主たる遊技を制御する主制御装置、後述する画像表示装置３３１に表示する画像を制御する画像制御装置等がある。
【００２２】
（回動部３，画像表示装置３３１）
図２及び図１０に示すように、枠体２には、枠体２に対して回動可能な回動部３が設けられている。遊技盤ユニット５は、回動部３に配置された状態で枠体２に支持されている。回動部３は、遊技盤ユニット５を支持する支持枠部として構成されている。本形態の回動部３は、折曲げ加工された板金によって構成されている。回動部３には、枠体２の左右方向Ｗの端部において上下方向Ｈに沿った中心軸線を有する回動軸部３１が設けられている。そして、回動部３は、回動軸部３１を中心に枠体２から前方へ回動し、回動軸部３１とは反対側に位置する回動先端部３２から配置される遊技盤ユニット５を支持するよう構成されている。
【００２３】
回動部３には、遊技盤５１における遊技に関連した画像を表示する画像表示装置３３１が配置されている。画像表示装置３３１は、液晶パネルによって構成されており、枠体２側の部品となり、遊技盤ユニット５の取り替えを行って遊技機１の機種変更を行う際に、取り替えを必要としない、複数の機種に対して使用可能な共通部品とされる。また、遊技盤５１には、遊技機１の前方から画像表示装置３３１が視認できるようにするための第１開口穴５１１が形成されている。
【００２４】
なお、画像表示装置３３１は、遊技盤ユニット５に配置されていてもよい。この場合には、遊技機１の機種変更を行う際に、画像表示装置３３１を遊技盤５１等とともに取り替えることができる。
【００２５】
図２及び図１０に示すように、画像表示装置３３１は、回動部３の取付部３３に取り付けられている。回動部３には、画像表示装置３３１が取り付けられた取付部３３の他に、遊技盤ユニット５を下方から支え、遊技盤ユニット５から加わる荷重を受ける荷重受け部３４が形成されている。荷重受け部３４は、回動部３に対して回動先端部３２側から挿入される遊技盤ユニット５の下辺部を受けるよう構成されている。
【００２６】
図１０に示すように、回動部３及び枠体２には、枠体２に対して回動部３を開けることができる角度を制限するための角度制限機構５３が設けられている。角度制限機構５３は、枠体２と回動部３との間に架け渡されたリンク部材、リンク部材の一方の端部をスライド可能にするスライド溝等を有する。回動部３は、枠体２に対して例えば３５〜５５°回動させることができる。回動部３を開けることができる角度が制限（規定）されることにより、回動部３に対する遊技盤ユニット５の着脱を容易にすることができる。
【００２７】
図１１及び図１２に示すように、遊技盤ユニット５には、遊技盤ユニット５を回動部３に対して配置する際に、画像表示装置３３１が挿入される挿入空間５２１が形成されている。挿入空間５２１は、遊技盤ユニット５の左右方向Ｗに向けて形成されている。挿入空間５２１は、遊技盤５１の後側に形成されており、挿入空間５２１に挿入された画像表示装置３３１は、遊技盤５１の後側に配置される。
【００２８】
（装飾部材８１，導光体８２，発光源７）
図３〜図５に示すように、本形態の発光源７は、枠体２における、回動部３の回動軸部３１側に位置する左右方向Ｗの内側面２０３として、遊技機１の前側から見て左側の内側面２０３に配置されている。導光体８２及び装飾部材８１は、遊技盤ユニット５の左右方向Ｗにおける、回動部３の回動軸部３１側に偏った位置に配置されている。
【００２９】
本形態の回動軸部３１は、回動部３における、遊技機１の前側から見て左側の端部に配置されている。そして、導光体８２及び装飾部材８１は、遊技機１の前側から見て左側に偏った位置に配置されている。また、本形態の導光体８２及び装飾部材８１は、遊技盤５１における、画像表示装置３３１が配置される第１開口穴５１１の下方に配置されている。発光源７は、枠体２の内側面２０３における、導光体８２の側方における、光Ｘが入射する端面８２１に対向して配置されている。
【００３０】
図５に示すように、発光源７は、基板７１上に設けられたＬＥＤ（発光ダイオード）によって構成されている。ＬＥＤは、基板７１上において、上下方向Ｈに並ぶ状態で複数配置されている。また、複数のＬＥＤ及び基板７１は、ケース７２内に配置されており、ケース７２における複数のＬＥＤと対向する部位には、複数のＬＥＤから発せられる光Ｘを透過させるとともに、光Ｘの指向性を高めつつ、光Ｘの輝度を上げるための集光レンズ７３が配置されている。
【００３１】
図４に示すように、導光体８２は、遊技盤５１の前後方向Ｄに貫通して形成された第２開口穴５１２と、第２開口穴５１２に繋がり、遊技盤５１の後側から形成された溝部５１３とに配置されている。導光体８２は、光Ｘを透過させる透明又は半透明の樹脂材料によって構成されている。導光体８２における、発光源７と対向する端面８２１は、発光源７から受ける光Ｘを上下方向Ｈに拡散するための波形状に形成されている。
【００３２】
図５に示すように、導光体８２は、板形状に形成されており、遊技盤５１の盤面と平行に配置されている。導光体８２の屈曲加工部８２２は、導光体８２の後面における複数箇所において、後面に陥没する状態又は後面から前面に貫通する状態で形成されている。屈曲加工部８２２は、光Ｘの進路を９０°屈曲させるプリズムとして機能する。屈曲加工部８２２は、左右方向Ｗに対して傾斜する傾斜面を有し、この傾斜面によって、発光源７から発せられた左右方向Ｗへの光Ｘを前方へ屈曲させるよう構成されている。屈曲加工部８２２は、装飾部材８１における発光位置の後方に形成されている。
【００３３】
装飾部材８１は、光Ｘを透過させる透明又は半透明の樹脂材料によって構成されている。装飾部材８１は、導光体８２の一部の前側に重なって、第２開口穴５１２に前側から配置されている。装飾部材８１は、導光体８２から前方へ出射される光Ｘを透過させて遊技者へ照射するものである。
【００３４】
図４に示すように、本形態の装飾部材８１は、いわゆるチャッカー等の入賞装置として構成されている。装飾部材８１には、左右方向に並ぶ３つの入賞口８１０が設けられている。そして、導光体８２は、３つの入賞口８１０に入る遊技球との干渉を避ける状態で形成されている。導光体８２における、３つの入賞口８１０の後方には、各入賞口８１０に入った遊技球を後方へ流下させるための切欠部が形成されている。
【００３５】
導光体８２は、装飾部材８１における複数の特定部位を発光させるイルミネーションパネルを構成する。発光源７から発せられる光Ｘは、導光体８２の屈曲加工部８２２によって、装飾部材８１における複数の特定部位から遊技者に向けて照射される。導光体８２は、屈曲加工部８２２を構成する、導光体８２の左右方向Ｗに対して傾斜する傾斜面の端面ラインが発光して、イルミネーションパネルとして機能することができる。
【００３６】
（可動演出体６，駆動源４）
図３及び図９に示すように、遊技盤ユニット５は、装飾部材８１及び導光体８２の他に、可動して遊技の演出を行う可動演出体６をさらに有する。また、枠体２は、発光源７の他に、可動演出体６を駆動する駆動源４をさらに有する。遊技盤ユニット５と枠体２とは、装飾部材８１及び導光体８２と発光源７とによる光Ｘの伝達構造の形成及び分離と、可動演出体６と駆動源４とによる動力の伝達機構の形成及び分離を行うことが可能である。
【００３７】
可動演出体６は、遊技機１の前側、言い換えれば遊技盤５１の前方等に配置されている。可動演出体６は、駆動源４から伝達される回転力を利用して、遊技機１の前側において、種々の移動、回動等の動作をするものである。可動演出体６は、１つの駆動源４から回転力を受けて動作するものであってもよく、複数の駆動源４から回転力を受けて動作するものであってもよい。
【００３８】
遊技盤５１の後側には、可動側係合部材６２、個別制御装置５４等が配置された機構部材５２が配置されている。可動演出体６は、遊技盤５１及び機構部材５２に対して回動、移動等が可能である。
【００３９】
本形態の駆動源４は、回転力を発生させるモータによって構成されている。本形態の遊技機１においては、複数の駆動源４と、複数の可動演出体６とが用いられる。駆動側係合部材４２は、モータの出力先端部４１に設けられている。モータの出力軸には、駆動ギヤが取り付けられている。本形態の出力先端部４１は、駆動ギヤによって回転する駆動力伝達ギヤの出力軸として形成されている。
【００４０】
（駆動側係合部材４２、可動側係合部材６２）
図２、図３及び図９に示すように、駆動源４の出力先端部４１には、ギヤ等の動力伝達部材を介して駆動側係合部材４２が設けられている。可動演出体６の入力先端部６１には、駆動側係合部材４２と係合して駆動源４の駆動力を可動演出体６へ伝達するための可動側係合部材６２が設けられている。また、可動側係合部材６２は、機構部材５２に対して回動可能に配置されている。
【００４１】
図２に示すように、駆動源４及び駆動側係合部材４２は、枠体２の前面２０１と、回動部３の回動軸部３１側の側面３０３とに配置されている。図３及び図６に示すように、可動側係合部材６２は、遊技盤ユニット５の後面５０２と、遊技盤ユニット５の左右方向Ｗの側面５０３とに配置されている。
【００４２】
枠体２の前面２０１に配置された駆動源４及び駆動側係合部材４２は、枠体２に対して遊動可能な遊動部材２６に配置することができる。この枠体２の前面２０１に配置された駆動側係合部材４２の係合先端側は、前方に向けられている。遊動部材２６を利用することにより、回動部３が回動することに伴う位置ずれを吸収して、駆動側係合部材４２と可動側係合部材６２との係合を、それらの中心軸線を一致させる状態で、より適切に行うことができる。
【００４３】
一方、回動部３における回動軸部３１側の側面３０３に配置された駆動源４及び駆動側係合部材４２は、回動部３に対して遊技盤ユニット５が配置されるときに、遊技盤ユニット５の可動側係合部材６２と係合されるため、回動部３の側面３０３において位置が固定されている。この回動部３の側面３０３に配置された駆動側係合部材４２の係合先端側は、回動部３の回動先端部３２側に向けられている。
【００４４】
図１０及び図１１に示すように、回動部３に、回動先端部３２側から遊技盤ユニット５が挿入されるときには、回動部３の側面３０３に配置された駆動側係合部材４２の係合先端側と、遊技盤ユニット５における可動側係合部材６２の係合先端側とが対向する。そして、遊技盤ユニット５が回動部３の規定位置に取り付けられるときには、遊技盤ユニット５における可動側係合部材６２が回動部３における駆動側係合部材４２と係合される。
【００４５】
駆動源４は、枠体２の前面２０１に配置するだけでなく、回動部３にも配置することにより、駆動源４を配置するスペースをより広範囲に確保することができる。また、遊技盤ユニット５における可動演出体６の配置部位に応じて、回動部３を利用して駆動源４を配置することができる。
【００４６】
遊技盤ユニット５は、回動先端部３２側から回動軸部３１側へスライドさせて回動部３に配置される。そのため、回動部３と遊技盤ユニット５との間には回動構造が介在しておらず、回動部３における駆動側係合部材４２と、遊技盤ユニット５における可動側係合部材６２との間には、位置ずれが生じにくい。そのため、回動部３を利用して配置された駆動側係合部材４２と可動側係合部材６２との係合においては、遊動部材２６を不要にすることができる。
【００４７】
図８（ｃ）に示すように、各駆動側係合部材４２と各可動側係合部材６２とには、駆動側係合部材４２の軸心Ｏ１と可動側係合部材６２の軸心Ｏ２とを一致させるとともに、駆動側係合部材４２の回転位置に対する可動側係合部材６２の回転位置を合わせるための位置案内部４０が設けられている。回転位置とは、駆動側係合部材４２と可動側係合部材６２とが、駆動側係合部材４２及び可動側係合部材６２の中心軸線Ｏ１，Ｏ２の周りの周方向Ｃにおいて係合される位置のことをいう。なお、軸心と中心軸線とは同じ符号Ｏ１，Ｏ２によって示す。
【００４８】
各駆動側係合部材４２と各可動側係合部材６２とに位置案内部４０が設けられ、かつ遊動部材２６が利用されることにより、各駆動側係合部材４２と各可動側係合部材６２との軸心位置及び回転位置の位置合わせを、遊技盤ユニット５を枠体２に配置する動作を利用して行うことができる。
【００４９】
各駆動側係合部材４２と各可動側係合部材６２とにおける位置案内部４０は、両者の係合を案内するための形状と、駆動源４の回転力を可動演出体６に伝達するための形状とを有する。各駆動側係合部材４２と各可動側係合部材６２とは、同軸状に係合して回転力を伝達するための歯車構造を有している。
【００５０】
図８（ａ）に示すように、本形態の駆動側係合部材４２には、その中心軸線Ｏ１を中心とする周方向Ｃの複数箇所に等間隔に並ぶ駆動側係合凸部４３と、その中心軸線Ｏ１と同心状に配置された案内筒部４５とが形成されている。周方向Ｃにおける複数の駆動側係合凸部４３同士の間には、駆動側係合凹部４４がそれぞれ形成されている。
【００５１】
図８（ｂ）に示すように、本形態の可動側係合部材６２には、その中心軸線Ｏ２を中心とする周方向Ｃの複数箇所に等間隔に並ぶ可動側係合凸部６３が形成されている。複数の可動側係合凸部６３の全体は、案内筒部４５の内周側に案内されるよう構成されている。周方向Ｃにおける複数の可動側係合凸部６３同士の間には、可動側係合凹部６４がそれぞれ形成されている。
【００５２】
可動側係合凸部６３が可動側係合部材６２の周方向Ｃに形成された間隔と、駆動側係合凸部４３が駆動側係合部材４２の周方向Ｃに形成された間隔とは同じである。そして、図８（ｃ）に示すように、可動側係合部材６２と駆動側係合部材４２とが係合するときには、各可動側係合凸部６３が各駆動側係合凹部４４に配置されるとともに、各駆動側係合凸部４３が各可動側係合凹部６４に配置される。
【００５３】
図８（ａ）〜（ｃ）に示すように、駆動側係合部材４２の案内筒部４５の先端部には、可動側係合部材６２の先端部の軸心Ｏ２を、駆動側係合部材４２の軸心Ｏ１へ案内するための案内テーパ面４５１が形成されている。また、複数の可動側係合凸部６３の先端部には、案内テーパ面４５１及び案内筒部４５の内周側への案内を容易にするための先端テーパ面６３１が形成されている。可動側係合凸部６３の先端部が、案内テーパ面４５１に当接するときには、可動側係合凸部６３の先端部が案内テーパ面４５１を滑って、駆動側係合部材４２の軸心Ｏ１と可動側係合部材６２の軸心Ｏ２とが合うようになっている。
【００５４】
また、図８（ａ），（ｂ）に示すように、各駆動側係合凸部４３及び各可動側係合凸部６３の周方向Ｃの両側の端部には、各係合凸部４３，６３の周方向Ｃの位置を各係合凹部４４，６４の周方向Ｃの位置へ案内するための周方向テーパ面４３１，６３２が形成されている。駆動側係合部材４２と可動側係合部材６２とが係合する際に、駆動側係合部材４２の回転位置と可動側係合部材６２の回転位置とがずれている場合には、各駆動側係合凸部４３と各可動側係合凸部６３とが接触する。このとき、各駆動側係合凸部４３の先端部が各可動側係合凸部６３の周方向テーパ面６３２に当接するとともに、各可動側係合凸部６３の先端部が各駆動側係合凸部４３の周方向テーパ面４３１に当接する。
【００５５】
ここで、駆動側係合部材４２には、駆動源４による停止トルクが作用している一方、可動側係合部材６２には、可動演出体６による停止トルクよりも小さな静止トルクが作用している。そのため、各係合凸部４３，６３の先端部が各周方向テーパ面４３１，６３２に当接して各周方向テーパ面４３１，６３２上を滑るときには、駆動側係合部材４２に対して可動側係合部材６２が若干回転し、各可動側係合凸部６３が各駆動側係合凹部４４に配置されるとともに、各駆動側係合凸部４３が各可動側係合凹部６４に配置される。これにより、駆動側係合部材４２の回転位置と可動側係合部材６２の回転位置とが合って、駆動側係合部材４２と可動側係合部材６２とが係合する。
【００５６】
各可動側係合凸部６３が駆動側係合部材４２の案内筒部４５の内周側に配置される構成により、位置案内部４０による、駆動側係合部材４２の軸心Ｏ１と可動側係合部材６２の軸心Ｏ２とを一致させる構造が形成される。また、各可動側係合凸部６３が各駆動側係合凹部４４に配置されるとともに、各駆動側係合凸部４３が各可動側係合凹部６４に配置される構成により、位置案内部４０による、駆動側係合部材４２の回転位置に対する可動側係合部材６２の回転位置を合わせる構造が形成される。
【００５７】
駆動側係合部材４２の回転位置と可動側係合部材６２の回転位置とが合った状態とは、周方向Ｃにおける各係合凸部４３，６３の位置と周方向Ｃにおける各係合凹部４４，６４の位置とが合った状態のことをいう。
【００５８】
なお、駆動側係合部材４２の形状と可動側係合部材６２の形状とは互いに入れ替わっていてもよく、可動側係合部材６２に案内筒部４５が形成されていてもよい。
【００５９】
（可動演出体６及び駆動源４の具体的構成）
図２に示すように、本形態の駆動源４は、枠体２の前面２０１の３箇所と、回動部３の回動軸部３１側の側面３０３の１箇所とに配置されている。図３に示すように、本形態の可動演出体６には、２つの駆動源４による駆動力を受けて可動するものと、１つの駆動源４による駆動力を受けて可動するものとがある。
【００６０】
図１に示すように、可動演出体６には、遊技機１の前面１０１において上下に移動できるよう構成されたものと、遊技機１の前面１０１において回動できるよう構成されたものとがある。なお、駆動源４と可動演出体６との組み合わせ方は、任意に変更することができる。
【００６１】
（ロック部材２１，連動部材２２，回動部材２４，押出プレート２５，遊動部材２６）
図６及び図７に示すように、枠体２には、枠体２に対向して配置された遊技盤ユニット５を枠体２に対して固定するよう回動可能なロック部材２１が配置されている。また、枠体２には、ロック部材２１と連動する連動部材２２と、連動部材２２によって回動する回動部材２４と、回動部材２４によって前方へ押し出される押出プレート２５が配置されている。駆動源４が配置された遊動部材２６は、押出プレート２５に配置されている。
【００６２】
枠体２の前面２０１に配置された駆動源４の駆動側係合部材４２と、遊技盤ユニット５の可動側係合部材６２との係合は、ロック部材２１の回動を受けて、連動部材２２及び回動部材２４を介して前方へ押し出される押出プレート２５上の遊動部材２６が、枠体２に対して遊動することによって行われる。
【００６３】
遊動部材２６は、枠体２の前後方向Ｄ及び前後方向Ｄに交差する平面方向に対して遊動可能である。本形態の平面方向は、前後方向Ｄに直交する上下方向Ｈ及び左右方向Ｗが含まれる平面内の方向となる。平面方向は、前後方向Ｄに対して傾斜する平面内の方向としてもよい。図５〜図７及び図９〜図１２においては、前後方向Ｄの前方を符号Ｄ１によって示す。
【００６４】
図６に示すように、枠体２には、押出プレート２５が、前後方向Ｄにスライド可能に配置されており、複数の遊動部材２６は、遊動バネ部材２６２を介して押出プレート２５に配置されている。押出プレート２５には、枠体２に対して摺動可能な突出部２５０が設けられている。押出プレート２５は、突出部２５０に配置された押出バネ部材２５２によって後方へ付勢されている。
【００６５】
各遊動部材２６は、押出プレート２５に対して平面方向及び前後方向Ｄへ遊動可能である。各駆動源４及び各駆動側係合部材４２は、各遊動部材２６の前面に個別に配置されている。各遊動部材２６は、複数の遊動バネ部材２６２の弾性力を受けた状態で押出プレート２５に対して平面方向及び前後方向Ｄに遊動可能である。本形態の押出バネ部材２５２及び遊動バネ部材２６２は、圧縮バネによって構成されている。
【００６６】
図６及び図７に示すように、ロック部材２１は、枠体２に対して遊技盤ユニット５を固定するための固定位置２０５と、枠体２に対する遊技盤ユニット５の固定を解除するための解除位置２０６とに回動操作可能である。ロック部材２１は、枠体２における、遊技盤ユニット５の配置位置の前方において回動可能に配置されている。ロック部材２１は、遊技盤ユニット５の遊技盤５１の前面５０１の端部に配置されたときに、遊技盤ユニット５を枠体２との間に挟持する挟持部２１１と、連動部材２２に回転接触するローラ部２１２とを有する。
【００６７】
ロック部材２１は、付勢部材によって解除位置２０６に付勢されている。そして、作業者が、遊技盤ユニット５が配置された回動部３を回動させて枠体２に配置する際に、ロック部材２１は、遊技盤ユニット５における遊技盤５１によって押されるとともに、作業者によって、操作片としての挟持部２１１が後方に操作されることによって、解除位置２０６から固定位置２０５に回動する。言い換えれば、ロック部材２１の回動は、遊技盤ユニット５を枠体２に配置する動作に伴って行われる。
【００６８】
図示は省略するが、枠体２の前側には、遊技盤５１を前方に向けて付勢する付勢部材が配置されている。ロック部材２１によって枠体２に対して遊技盤ユニット５を固定するときには、付勢部材によって、ロック部材２１の挟持部２１１の後面と、遊技盤５１の前面５０１とが当接される。これにより、枠体２に対する遊技盤５１の配置位置が規定される。
【００６９】
回動部材２４は、押出プレート２５の後方に対向して配置されており、回動軸２４０の周りに回動可能である。回動部材２４の回動軸２４０の周りには、回動部材２４を、ロック部材２１の解除位置２０６に対応した元の位置に付勢する付勢バネ２４２が配置されている。
【００７０】
図６及び図７に示すように、連動部材２２は、ロック部材２１の解除位置２０６から固定位置２０５への回動力を回動部材２４に伝達するよう構成されている。ロック部材２１が解除位置２０６から固定位置２０５に回動操作されるときには、連動部材２２を介して回動部材２４が回動する。このとき、回動部材２４が、押出プレート２５の後面に当接し、回動部材２４によって押出プレート２５が前方に押し出される。そして、押出プレート２５に対して複数の遊動部材２６が遊動することができる。また、ロック部材２１が固定位置２０５から解除位置２０６に回動されるときには、複数の押出バネ部材２５２による弾性力を受けて押出プレート２５が元の位置に戻されるとともに、付勢バネによる付勢力を受けて回動部材２４が元の位置に戻される。
【００７１】
（遊技盤ユニット５の構造）
遊技盤ユニット５は、図１０〜図１２に示すように、回動部３の側面３０３の駆動側係合部材４２に遊技盤ユニット５の側面５０３の可動側係合部材６２が係合されるよう、回動部３の回動先端部３２側から回動軸部３１側へスライドして回動部３に配置された配置構造５０５と、図６、図７及び図９に示すように、ロック部材２１の回動を受けて、枠体２の前面２０１の駆動側係合部材４２に遊技盤ユニット５の後面５０２の可動側係合部材６２が係合されるよう、回動部３とともに枠体２に固定（支持）された固定構造（支持構造）５０６とを有する。遊技盤ユニット５の配置構造５０５及び固定構造５０６により、作業者による、枠体２に対する遊技盤ユニット５の取付け・取外しの作業を容易にすることができる。
【００７２】
また、遊技機１においては、図４及び図５に示すように、発光源７と導光体８２及び装飾部材８１とによる光伝達構造７０５と、図７に示すように、駆動源４の駆動側係合部材４２と可動演出体６の可動側係合部材６２とが係合する係合構造６０５とは、枠体２に遊技盤ユニット５が支持された状態において形成される。そして、光伝達構造７０５における発光源７と、係合構造６０５における駆動源４の駆動側係合部材４２とを、遊技盤ユニット５から分離して枠体２に配置したことにより、遊技盤ユニット５を別の遊技盤ユニット５に取り替える際に、発光源７と駆動源４及び駆動側係合部材４２とは取り替えを不要にしている。
【００７３】
また、遊技機１においては、図１０〜図１２に示すように、遊技盤ユニット５が、回動部３の回動先端部３２側から回動軸部３１側へスライドして回動部３に配置され、次いで、図６、図７及び図９に示すように、遊技盤ユニット５が配置された回動部３が枠体２に対して後方に向けて回動され、ロック部材２１の回動を受けて遊技盤ユニット５が枠体２に固定される。遊技盤ユニット５を、一旦回動部３に配置することにより、作業者は、重量のある遊技盤ユニット５を一旦手から放すことができる。
【００７４】
また、遊技盤ユニット５を、枠体２の前方に位置する回動部３へ回動先端部３２側から配置することにより、その配置を容易にすることができる。そして、作業者は、遊技盤ユニット５が配置された回動部３を回動させることにより、重量のある遊技盤ユニット５の取扱いを容易にし、遊技盤ユニット５を枠体２に対する正規の配置に容易に配置することができる。
【００７５】
（枠体２と遊技盤ユニット５との電気接続）
枠体２と遊技盤ユニット５とには、遊技盤ユニット５における、各種入賞装置、個別制御装置５４等の個別制御機器と、枠体２における、画像表示装置３３１、電源装置、共通制御装置等の共通電気部品との電気接続を行うための接続部材２７，５７がそれぞれ配置されている。遊技盤ユニット５の盤側接続部材５７は、図３に示すように、遊技盤ユニット５の後面５０２に配置されており、枠体２の枠側接続部材２７は、図２に示すように、枠体２の前面２０１に配置されている。
【００７６】
盤側接続部材５７と枠側接続部材２７との少なくとも一方は、遊動可能な状態で遊技盤ユニット５又は枠体２に配置されている。そして、回動部３を回動させて枠体２に対して遊技盤ユニット５を対向させたときには、盤側接続部材５７と枠側接続部材２７とが相対的に遊動して、盤側接続部材５７と枠側接続部材２７とが接続される。盤側接続部材５７と枠側接続部材２７とは、いわゆるドロワーコネクタによって構成することができる。各接続部材２７，５７を用いることにより、枠体２側と遊技盤ユニット５側との電気接続を、回動部３によって遊技盤ユニット５を枠体２に配置する回動操作を利用して、簡単に行うことができる。
【００７７】
次に、枠体２に対して遊技盤ユニット５を取り付ける動作、及び枠体２から遊技盤ユニット５を取り外す動作について説明する。
遊技機１の機種を変更する際には、それまで使用されていた遊技盤ユニット５を枠体２から取り外し、新たに使用する遊技盤ユニット５を枠体２へ取り付ける。
【００７８】
（遊技盤ユニット５の取外し動作）
遊技盤ユニット５を枠体２から取り外すときには、図６及び図７に示すように、作業者はロック部材２１を固定位置２０５から解除位置２０６へ回動操作する。このとき、複数の押出バネ部材２５２によって押出プレート２５が後方へスライドするとともに、付勢バネ２４２によって回動部材２４が押出プレート２５から離れるよう回動する。また、連動部材２２は、回動部材２４によって前方へ押し戻される。そして、枠体２の前面２０１に配置された各駆動側係合部材４２から各可動側係合部材６２が離れ、各駆動側係合部材４２と各可動側係合部材６２との係合が解除される。
【００７９】
次いで、作業者は、図１２に示すように、遊技盤ユニット５が配置された回動部３を、その回動軸部３１を中心に枠体２から前方へ回動させる。このとき、枠体２の前面２０１に配置された各駆動側係合部材４２から各可動側係合部材６２が離れるとともに、遊技盤ユニット５が枠体２から離れる。また、発光源７から導光体８２が離れる。次いで、作業者は、図１０及び図１１に示すように、回動部３に対して、回動部３の回動軸部３１側から回動先端部３２側へ遊技盤ユニット５をスライドさせる。このとき、回動部３の側面３０３に配置された駆動側係合部材４２から可動側係合部材６２が離れ、回動部３から遊技盤ユニット５を取り外すことができる。
【００８０】
（遊技盤ユニット５の取付け動作）
また、新たに使用する遊技盤ユニット５を枠体２に取り付けるときには、作業者は、図１０及び図１１に示すように、回動部３に対して遊技盤ユニット５を載置し、回動部３の回動先端部３２側から回動軸部３１側へ遊技盤ユニット５をスライドさせる。このとき、図１２に示すように、回動部３における駆動側係合部材４２に対して、遊技盤ユニット５における可動側係合部材６２が係合される。この係合の際に、回動部３の側面３０３に配置された駆動側係合部材４２の回転位置と可動側係合部材６２の回転位置とにずれがある場合には、各係合凸部４３，６３の先端部と各周方向テーパ面４３１，６３２との当接により、駆動側係合部材４２に対して可動側係合部材６２が若干回動して、両者の回転位置のずれが矯正され、駆動側係合部材４２と可動側係合部材６２とが係合する。
【００８１】
次いで、作業者は、図９に示すように、遊技盤ユニット５が配置された回動部３を回動させ、遊技盤ユニット５を枠体２の前側に配置する。このとき、図６に示すように、枠体２の前面２０１に配置された複数の駆動側係合部材４２と複数の可動側係合部材６２とが対向する。また、図７に示すように、作業者が回動部３を回動させて遊技盤ユニット５を枠体２の前側に配置するときには、ロック部材２１は、遊技盤ユニット５における遊技盤５１によって後方へ押されるとともに、作業者によって後方に操作されることによって、解除位置２０６から固定位置２０５に回動操作される。このとき、ロック部材２１の挟持部２１１によって、遊技盤ユニット５が枠体２に支持され、枠体２に対して遊技盤ユニット５が固定される。また、ロック部材２１が固定位置２０５に回動操作されるときには、連動部材２２を介して回動部材２４が押出プレート２５を前方へ押し出す。
【００８２】
このとき、押出プレート２５に複数の遊動バネ部材２６２を介して支持された各遊動部材２６、及び各遊動部材２６に配置された駆動源４及び駆動側係合部材４２が前方へ押し出される。そして、図８（ｃ）に示すように、各遊動部材２６において、駆動側係合部材４２の軸心Ｏ１と可動側係合部材６２の軸心Ｏ２とがずれている場合には、各可動側係合凸部６３の先端部が案内筒部４５の案内テーパ面４５１に案内され、図７に示すように、遊動部材２６が複数の遊動バネ部材２６２を介して押出プレート２５に対して平面方向に遊動する。これにより、駆動側係合部材４２の軸心Ｏ１と可動側係合部材６２の軸心Ｏ２とが一致する。
【００８３】
また、各遊動部材２６において、駆動側係合部材４２の回転位置と可動側係合部材６２の回転位置とがずれている場合には、複数の遊動バネ部材２６２が圧縮され、複数の遊動バネ部材２６２による弾性力を受けた遊動部材２６によって、駆動側係合部材４２が可動側係合部材６２に押し当てられる。そして、複数の遊動バネ部材２６２による弾性力を受けた状態で、各係合凸部４３，６３の先端部が相手側の各係合凸部４３，６３の周方向テーパ面４３１，６３２に案内され、各係合凸部４３，６３が各係合凹部４４，６４に配置される。これにより、駆動側係合部材４２の回転位置と可動側係合部材６２の回転位置とが一致する。
【００８４】
なお、駆動側係合部材４２の回転位置と可動側係合部材６２の回転位置とがずれている場合とは、各駆動側係合凸部４３の周方向Ｃの位置と各可動側係合凹部６４の周方向Ｃの位置、及び各駆動側係合凹部４４の周方向Ｃの位置と各可動側係合凸部６３の周方向Ｃの位置とがずれている場合のことをいう。
【００８５】
このようにして、枠体２の前面２０１に配置された駆動側係合部材４２の案内筒部４５の内周側に可動側係合部材６２が挿入され、各駆動側係合凸部４３が各可動側係合凹部６４に配置されるとともに各可動側係合凸部６３が各駆動側係合凹部４４に配置されて、駆動側係合部材４２と可動側係合部材６２とが係合する。また、この係合状態は、複数の遊動バネ部材２６２及び押出バネ部材２５２による弾性力を受けた状態で維持される。
【００８６】
また、図４及び図５に示すように、遊技盤ユニット５が枠体２に支持されるときには、枠体２の内側面２０３に配置された発光源７に、遊技盤ユニット５の側方に位置する、導光体８２の端面８２１が対向する。そして、駆動側係合部材４２と可動側係合部材６２との係合構造６０５が形成されるとともに、発光源７と導光体８２及び装飾部材８１とによる光伝達構造７０５が形成される。こうして、新たに使用する遊技盤ユニット５が枠体２に取り付けられる。
【００８７】
（作用効果）
本形態の遊技機１においては、装飾部材８１及び導光体８２を有する、遊技のテーマに沿った仕様の遊技盤ユニット５を、装飾部材８１を発光させる発光源７を有する枠体２に着脱可能にしている。また、遊技盤ユニット５には、遊技のテーマに沿った仕様の遊技盤５１及び可動演出体６が配置されており、枠体２には、可動演出体６の駆動源４が配置されている。そして、遊技機１の機種を他のテーマの機種に変更する場合には、枠体２に対して、装飾部材８１及び導光体８２と、遊技盤５１及び可動演出体６とが配置された遊技盤ユニット５を他の遊技盤ユニット５に取り替えることができる。
【００８８】
これにより、装飾部材８１及び導光体８２と、遊技盤５１及び可動演出体６とを有する遊技盤ユニット５を他のものに取り替える際に、発光源７と駆動源４とは取り替えずに再利用することができ、取り替えを要する部品点数を減らすことができる。また、本形態においては、画像表示装置３３１も、駆動源４と同様に取り替えずに再利用することができる。そして、遊技機１の機種替えに要するコストを低減させることができる。
【００８９】
また、遊技盤ユニット５が取り替えられる際に、装飾部材８１において発光される位置が適宜変更されるときには、導光体８２の形状を適宜変更することによって、これに対応することができる。そして、光伝達構造７０５として、発光源７と導光体８２とは、遊技盤ユニット５が枠体２に支持されたときに対向し、発光源７から発せられる光Ｘが導光体８２に入射される状態が形成される。これにより、発光源７と導光体８２との位置関係が簡単に決定される。
【００９０】
また、発光源７は、枠体２の左右方向Ｗの内側面２０３から左右方向Ｗの中心側へ光Ｘを発するよう構成されており、導光体８２は、屈曲加工部８２２によって、発光源７から受けた左右方向Ｗの中心側への光Ｘを前方へ屈曲させるよう構成されている。これにより、発光源７は、装飾部材８１及び導光体８２に対する左右方向Ｗの側方に配置され、装飾部材８１及び導光体８２の後方には、発光源７が配置されない。そのため、装飾部材８１及び導光体８２の後方に、発光源７が遊技者から視認できないようにする部材等を配置する必要がなくなる。その結果、装飾部材８１及び導光体８２の後方に、種々の用途に使用することができるスペースを形成することができる。
【００９１】
それ故、本形態の遊技機１によれば、遊技機１の機種替えに要するコストを低減させることができ、装飾部材８１及び導光体８２の後方に、種々の用途に使用することができるスペースを形成することができる。
【００９２】
また、枠体２の前面２０１に配置された駆動源４と可動演出体６との接続は、駆動源４の出力先端部４１に設けられた駆動側係合部材４２と、可動演出体６の入力先端部６１に設けられた可動側係合部材６２とが係合されることによって行われる。この場合、駆動側係合部材４２と可動側係合部材６２とに特別な工夫がされていないと、駆動側係合部材４２の軸心位置及び回転位置と可動側係合部材６２の軸心位置及び回転位置とがずれ、遊技盤ユニット５の取り替えの作業を悪化させる。
【００９３】
そこで、本形態の遊技機１においては、枠体２の前面２０１に配置された駆動源４及び駆動側係合部材４２を枠体２に対して遊動可能な遊動部材２６に配置している。そして、遊技盤ユニット５を枠体２に取り付ける際に、駆動側係合部材４２の軸心位置及び回転位置と可動側係合部材６２の軸心位置及び回転位置とがずれた場合であっても、遊動部材２６が枠体２に対して遊動することによって、駆動側係合部材４２の軸心位置及び回転位置と可動側係合部材６２の軸心位置及び回転位置とを合わせることができる。
【００９４】
ただし、駆動側係合部材４２と可動側係合部材６２との位置合わせができたとしても、これらの係合と係合状態の維持とに手間が掛かっては、遊技盤ユニット５の取り替えの作業性を良好に維持することはできない。そこで、本形態の遊技機１においては、駆動側係合部材４２と可動側係合部材６２との係合及び係合状態の維持の仕方に工夫をしている。
【００９５】
具体的には、枠体２に対して遊技盤ユニット５を固定するためのロック部材２１を利用して、枠体２の前面２０１に配置された駆動側係合部材４２と可動側係合部材６２との係合及びこの係合状態の維持を図る。ロック部材２１の回動操作は、連動部材２２、回動部材２４及び押出プレート２５を介して、遊動部材２６を遊技盤ユニット５側へ押し出す動作として利用する。
【００９６】
作業者等は、遊技盤ユニット５を枠体２に配置したときには、ロック部材２１を解除位置２０６から固定位置２０５に回動操作する。このとき、ロック部材２１によって遊技盤ユニット５を枠体２に固定できるだけでなく、枠体２に対して遊動部材２６が遊動して駆動側係合部材４２と可動側係合部材６２とを係合させることができ、かつこの係合状態を維持することができる。
【００９７】
それ故、本形態の遊技機１によれば、遊技機１の機種替えの作業性を良好に維持することができる。
【００９８】
なお、参考として、導光体８２は、発光源７が配置された枠体２に配置することもできる。この場合には、多機種の遊技機１において、発光源７及び導光体８２による光の演出の仕方を画一的にし、遊技機１の機種替えに要するコストを更に低減させることができる。
【００９９】
＜実施形態２＞
本形態においては、実施形態１に示していない、遊技機１の種々の構成を示す。
（特別図柄表示装置５８２）
図１３に示すように、枠体２及び遊技盤５１の前方には、枠体２に対して開閉可能な前扉５８が配置されている。前扉５８には、遊技盤５１の前面に形成された遊技領域を遊技者に対して視認可能にするための開口部５８０が形成されている。また、前扉５８の後側には、その開口部５８０を塞ぐ状態で透明性を有するペアガラス５８１が配置されている。ペアガラス５８１は、遊技盤５１の遊技領域が視認可能な状態で配置されており、遊技盤５１との間に、遊技球が遊技領域内を通過するための隙間を形成する。
【０１００】
本形態においては、前扉５８の後側であって、遊技者が開口部５８０のペアガラス５８１を介して視認できる位置に、遊技機１における大当たり等の遊技情報を表示する特別図柄表示装置５８２が配置されている。特別図柄表示装置５８２は、開口部５８０の下方の位置に配置されている。特別図柄表示装置５８２は、ＬＥＤ（発光ダイオード）等を用いて構成され、画像表示装置による表示とは別に遊技情報を表示するものである。同図においては、遊技機１の前面１０１に配置された操作ハンドルを符号１５によって示す。
【０１０１】
本形態の特別図柄表示装置５８２は、遊技盤５１ではなく、枠体２の一部を構成する前扉５８に配置されている。特別図柄表示装置５８２は、前扉５８の下部における、回動部３の回動軸部３１から離れた位置に配置されている。特別図柄表示装置５８２の電気的接続線は、前扉５８において、回動部３の回動軸部３１側に向けて配線され、枠体２の枠側接続部材２７に接続されている。
【０１０２】
図１３に示すように、前扉５８の後側には、ペアガラス５８１の荷重を受けるガラス受部５８３が設けられている。そして、特別図柄表示装置５８２は、ガラス受部５８３の後側の一部の領域に、後方に向けて回動可能に配置されている。特別図柄表示装置５８２は、前扉５８にペアガラス５８１を配置する際に、ペアガラス５８１が特別図柄表示装置５８２に干渉して特別図柄表示装置５８２を破損させることを防ぐために、前扉５８に対して離れる方向（後方）に回動可能である。特別図柄表示装置５８２は、バネによる付勢力を受けて前扉５８に近づく方向に付勢されており、ストッパ機構によって正規（通常）の位置に規定されている。
【０１０３】
特別図柄表示装置５８２は、２枚のペアガラス５８１のうちの後方のガラス板の後側に配置される。特別図柄表示装置５８２は、通常、遊技盤ユニット５に配置されている。本形態においては、特別図柄表示装置５８２を枠体２の前扉５８に配置することにより、遊技機１の機種替えに要するコストを更に低減させることができる。
【０１０４】
（磁気センサ５９）
図１３に示すように、本形態の前扉５８には、遊技機１における遊技に使用される遊技球に、磁石１１１等を用いて不正行為を働くことを検知するための磁気センサ５９が複数配置されている。複数の磁気センサ５９は、前扉５８における、遊技盤５１の遊技領域の周囲に配置された扉装飾部材５８５の内部に隠されている。また、複数の磁気センサ５９は、遊技盤５１における遊技領域の下部の広範囲にわたって磁気を検出するよう構成されている。
【０１０５】
より具体的には、磁気センサ５９は、前扉５８の下側の扉装飾部材５８５に１つ配置されるとともに、前扉５８の左右両側の扉装飾部材５８５の下方位置にそれぞれ２つ配置されている。同図において、磁気センサ５９による磁気検知範囲の一部を、二点鎖線Ｋによって示す。通常、磁気センサ５９は遊技盤ユニット５に配置されている。磁気センサ５９を枠体２の前扉５８に配置することにより、遊技機１の機種替えに要するコストを更に低減させることができる。
【０１０６】
（演出用操作装置１１）
図１４及び図１５に示すように、遊技機１の前面１０１には、遊技機１における遊技状態に応じた演出の一環として、遊技者が操作することができる演出用操作装置１１が配置されている。演出用操作装置１１は、ジョイスティック構造を有しており、遊技者によって上方、下方、左方、右方、右上、右下、左上及び左下の８つの方向に操作可能である。演出用操作装置１１の上下左右には、合わせて４つの位置センサが配置されており、この４つの位置センサを用いて、演出用操作装置１１の８つの方向への操作を検出可能である。
【０１０７】
演出用操作装置１１には、音及び振動を発生させるスピーカ１１０が内蔵されている。そして、遊技者は、演出用操作装置１１を把持するときには、スピーカ１１０による振動を感知することができる。また、遊技者は、演出用操作装置１１から手を離したときには、スピーカ１１０による音を感知することができる。また、スピーカ１１０の出力を変化させることにより、スピーカ１１０による音及び振動を定量的に変化させることができる。
【０１０８】
図１４に示すように、演出用操作装置１１は、遊技機１の前面１０１に取り付けられるベース部１２と、ベース部１２に対して押込み操作が可能であるとともに、スピーカ１１０によって振動（揺動）が可能な可動部１３とを有する。ベース部１２は、演出用操作装置１１の基部、外周部及び先端部として構成されている。可動部１３は、演出用操作装置１１の先端部及び内部に配置されている。演出用操作装置１１の先端部においては、ベース部１２の先端部１２０の内側に可動部１３の先端部１３０が配置されている。ベース部１２の先端部１２０には、遊技者によって把持しやすくするために、外周側に膨らむ複数の凸部１２５が形成されている。可動部１３の先端部１３０は、遊技者によって押込み操作が可能なボタン部１３１を構成する。
【０１０９】
スピーカ１１０は、磁界を生じさせる磁石１１１と、電圧が印加されるボイスコイル１１２と、ボイスコイル１１２に繋がって振動を発生させるコーン（振動板）１１３と、ボイスコイル１１２及びコーン１１３を振動可能に支持するダンパ１１４とを備える。可動部１３は、スピーカ１１０を収容するケース１１５を備える。コーン１１３の中心部は、連結シャフト１３２によってボタン部１３１と連結されている。ボタン部１３１の内部には、ボタン部１３１を貫通して、ベース部１２の基部に固定された支持シャフト１２１が配置されている。また、ボタン部１３１の内部には、支持シャフト１２１の先端部に取り付けられた固定部材１２２が配置されている。
【０１１０】
固定部材１２２は平板形状に形成されており、固定部材１２２の前側の表面には、ＬＥＤが設けられたＬＥＤ基板が配置されている。ボタン部１３１は、光を透過させる透光性部材によって形成されている。そして、演出用操作装置１１の操作状態、遊技状態等に応じて、固定部材１２２におけるＬＥＤが適宜発光することにより、発光演出が行われる。
【０１１１】
図１４に示すように、ボタン部１３１は、支持シャフト１２１によってガイドされて、ベース部１２に対して押込み操作が可能である。固定部材１２２とボタン部１３１との間、及びベース部１２の基部とケース１１５との間には、バネ１２３，１２４がそれぞれ配置されており、ボタン部１３１は、各バネ１２３，１２４による付勢力を受けて先端側に付勢されている。また、可動部１３は、各バネ１２３，１２４を介してベース部１２に対して、先端側及び基端側の方向Ｌにスライド可能に支持されている。
【０１１２】
図１３及び図１４に示すように、演出用操作装置１１のベース部１２は、演出用操作装置１１を８つの方向に操作可能に支持するための操作台１４を介して遊技機１の前面１０１に取り付けられている。演出用操作装置１１のジョイスティック構造は、操作台１４によって形成されている。演出用操作装置１１は、遊技者に、スピーカ１１０による音だけでなく、スピーカ１１０による振動も伝えるようにしている。
【０１１３】
演出用操作装置１１を振動させるための振動部材としては、一般的には、振動素子が使用される。これに対し、本形態の演出用操作装置１１においては、振動部材としてスピーカ１１０を使用している。そして、スピーカ１１０による振動周波数を適宜変化させることによって、演出用操作装置１１による振動の度合い（振動量）をリニアに可変させることができる。そして、遊技者による演出用操作装置１１の操作方向及び操作強度、並びに遊技における予告演出、リーチ演出、大当り演出等に関連付けて、スピーカ１１０による演出用操作装置１１の振動状態をダイナミックに変化させることができる。それ故、演出用操作装置１１によれば、遊技の演出効果を高めるとともに、遊技者に遊技の躍動感を与えることができる。
【０１１４】
演出用操作装置１１は、遊技機１の前面１０１において、先端部が斜め上方に向けられて配置されている。詳細は省略するが、本形態の演出用操作装置１１は、図１４の二点鎖線１１Ａに示すように、その全体が遊技機１の前方へ飛び出すことが可能である。また、演出用操作装置１１は、先端部が斜め上方に向けられた初期状態にロックされている。このロックが解除されたときには、遊技演出としての操作の一形態として、図１４の二点鎖線１１Ｂに示すように、遊技者が、演出用操作装置１１の先端部を下方に向けて揺動操作させることが可能である。
【０１１５】
本形態の各構成は、実施形態１に示した遊技機１に採用することができる。また、本形態の各構成は、実施形態１とは別の遊技機に採用することもできる。
【０１１６】
なお、本発明は、実施形態１のみに限定されるものではなく、その要旨を逸脱しない範囲においてさらに異なる実施形態を構成することが可能である。また、本発明は、様々な変形例、均等範囲内の変形例等を含む。
【符号の説明】
【０１１７】
１  遊技機
２  枠体
３  回動部
４  駆動源
４２  駆動側係合部材
４３  駆動側係合凸部
５  遊技盤ユニット
５１  遊技盤
６  可動演出体
６２  可動側係合部材
７  発光源
８１  装飾部材
８２  導光体
８２２  屈曲加工部
【図１】
2019107281.tif 000003
【図２】
2019107281.tif 000004
【図３】
2019107281.tif 000005
【図４】
2019107281.tif 000006
【図５】
2019107281.tif 000007
【図６】
2019107281.tif 000008
【図７】
2019107281.tif 000009
【図８】
2019107281.tif 000010
【図９】
2019107281.tif 000011
【図１０】
2019107281.tif 000012
【図１１】
2019107281.tif 000013
【図１２】
2019107281.tif 000014
【図１３】
2019107281.tif 000015
【図１４】
2019107281.tif 000016
【図１５】
2019107281.tif 000017